(57)【要約】【課題】電気器具の使用時にコードが引出とキャビネットとの間に挟まれることを防止できるコンセントタップを提供すること。【解決手段】コンセントタップ８は、電気器具のコード１８に設けられたプラグ１９と電気的に接続可能なコンセント９，９と、ＯＮ状態またはＯＦＦ状態にすることでコンセント９，９及び電源の通電またはその通電の解除を行う導電スイッチと、導電スイッチのＯＮ状態またはＯＦＦ状態を切り替えるスイッチレバー１１と、が設けられ、スイッチレバー１１が引出６の外方側に突出することで、導電スイッチがＯＮ状態になり、引出６がその閉鎖する方向に移動しても、スイッチレバー１１が洗面台１と当接することで、引出６は、その閉鎖が阻止される。【選択図】図４
2010282835.tif 000002
【特許請求の範囲】
【請求項１】
キャビネットに設けられる引出に収納され、該引出が開放した状態で電源と導通可能なコンセントタップであって、
電気器具のコードに設けられたプラグと電気的に接続可能な接続部と、ＯＮ状態またはＯＦＦ状態にすることで前記接続部及び前記電源の通電または該通電の解除を行う導電スイッチと、該導電スイッチのＯＮ状態またはＯＦＦ状態を切り替えるスイッチレバーと、が設けられ、前記スイッチレバーが前記引出の外方側に突出されることで、前記導電スイッチはＯＮ状態になり、前記引出が、その閉鎖する方向に移動したときに、前記スイッチレバーが前記キャビネットと当接することで、前記引出は、その閉鎖が阻止されることを特徴とするコンセントタップ。
【請求項２】
前記スイッチレバーは、透光性材質から成り、内部に、前記導電スイッチのＯＮ状態で発光し、前記導電スイッチのＯＦＦ状態で消光する照明部が設けられていることを特徴とする請求項１に記載のコンセントタップ。
【請求項３】
前記プラグが前記接続部に接続された状態で前記電気器具を収容する前記引出内の収納部に設けられていることを特徴とする請求項１または２に記載のコンセントタップ。
【発明の詳細な説明】
【技術分野】
【０００１】
本発明は、キャビネットに設けられる引出に収納され、引出が開放した状態で電源と導通可能なコンセントタップに関する。
【背景技術】
【０００２】
従来のコンセントタップは、キャビネットに設けられる引出に収容され、このコンセントタップは、電気器具のコードが接続可能な接続部と、電源に接続される配線と、配線に設けられる導電スイッチと、を有しており、引出を開放することで、導電スイッチが作動し、電源と接続部とが通電し、電気器具が使用可能となる（例えば、特許文献１参照）。
【先行技術文献】
【特許文献】
【０００３】
【特許文献１】実開平５−２３４６７号公報（第５頁、第１図）
【発明の概要】
【発明が解決しようとする課題】
【０００４】
しかしながら、特許文献１に記載のコンセントタップにあっては、電気器具を引出の外方で使用するため、電気器具の使用時に、不意に引出が閉鎖された場合に、コードが引出とキャビネットとの間に挟まると、コードが断線して電気器具が故障する虞がある。
【０００５】
本発明は、このような問題点に着目してなされたもので、電気器具の使用時にコードが引出とキャビネットとの間に挟まれることを防止できるコンセントタップを提供することを目的とする。
【課題を解決するための手段】
【０００６】
前記課題を解決するために、本発明のコンセントタップは、
キャビネットに設けられる引出に収納され、該引出が開放した状態で電源と導通可能なコンセントタップであって、
電気器具のコードに設けられたプラグと電気的に接続可能な接続部と、ＯＮ状態またはＯＦＦ状態にすることで前記接続部及び前記電源の通電または該通電の解除を行う導電スイッチと、該導電スイッチのＯＮ状態またはＯＦＦ状態を切り替えるスイッチレバーと、が設けられ、前記スイッチレバーが前記引出の外方側に突出されることで、前記導電スイッチはＯＮ状態になり、前記引出が、その閉鎖する方向に移動したときに、前記スイッチレバーが前記キャビネットと当接することで、前記引出は、その閉鎖が阻止されることを特徴としている。
この特徴によれば、プラグを接続部に接続して電気器具を引出の外方で使用する際に、不意に引出が閉鎖する方向に移動しても、引出の外方側に突出されるスイッチレバーがキャビネットと当接し、引出の閉鎖が阻止されるため、電気器具のコードが引出とキャビネットとの間に挟まれることを防止できる。
【０００７】
本発明のコンセントタップは、
前記スイッチレバーは、透光性材質から成り、内部に、前記導電スイッチのＯＮ状態で発光し、前記導電スイッチのＯＦＦ状態で消光する照明部が設けられていることを特徴としている。
この特徴によれば、照明部を配置するスペースをコンセントタップの外方に特段に設ける必要がないばかりか、この照明部により、接続部及び電源が通電していること、または接続部及び電源が通電していないことを確実に報知することができる。
【０００８】
本発明のコンセントタップは、
前記プラグが前記接続部に接続された状態で前記電気器具を収容する前記引出内の収納部に設けられていることを特徴としている。
この特徴によれば、電気器具を収納部から引出の外方に取り出し、スイッチレバーを引出の外方側に突出するだけで、電気器具を使用することができるため、プラグを接続部に接続する作業を行う必要がない。
【図面の簡単な説明】
【０００９】
【図１】実施例における引出が設けられた洗面台を示す斜視図である。
【図２】引出が開放している状態を示す一部断面図である。
【図３】図２を示すＡ−Ａ縦断正面図である。
【図４】引出が閉鎖する方向に移動した状態を示す平面図である。
【発明を実施するための形態】
【００１０】
本発明に係るコンセントタップを実施するための形態を実施例に基づいて以下に説明する。
【実施例】
【００１１】
実施例に係るコンセントタップにつき、図１から図４を参照して説明する。以下、図２及び図４の紙面下側を引出の正面側（前方側）として説明する。
【００１２】
先ず図１の符号１は、洗面所等に設けられたキャビネットとしての洗面台である。この洗面台１には、使用者の手や顔等を洗うのに使用するシンク２が設けられている。また、洗面台１には、洗面用具等を収納しておくための引出６，７が上下に設けられている。
【００１３】
引出６は、底板１３と、この底板１３の左右両端に取り付けられる一対の側板１４，１５と、これら底板１３と側板１４，１５との後端に取り付けられる図示しない後板と、底板１３と側板１４，１５との前端に取り付けられる前板１６と、を備えている。また、引出６は上面が開口した略四角箱状に形成されている。尚、引出７は、引出６の構造と略同構造になっているため、引出７の構造の説明は省略する。
【００１４】
図１及び図２に示されるように、引出６内には、洗面台１に対して前後方向に移動可能な収納部３が設けられており、この収納部３は、ドライヤ等の電気器具４を収納する収納室５と、収納室５に連設されるコンセントタップ８と、コンセントタップ８の前面に取り付けられた取付片１２と、から構成されている。
【００１５】
図２及び図３に示されるように、収納室５及びコンセントタップ８の両側面及び下面には、板片２０が覆設されており、この板片２０は、収納室５及びコンセントタップ８の両者に渡って前後方向に延びている。また、板片２０の上部には、洗面台１の側板２１の上部内面に取り付けられた係合片２１ａに係合する被係合部２０ａが形成されており、この被係合部２０ａは、係合片２１ａに沿って前後方向に摺動可能になっている。
【００１６】
また、板片２０の下部には、スライドレール２２が設けられており、このスライドレール２２は、側板２１の内面における係合片２１ａの下方位置に取り付けられた取付片２１ｂに沿って前後方向に摺動可能に係合している。このように、収納部３は、係合片２１ａ及び取付片２１ｂにより、引出６と独立に洗面台１に対して前後方向に移動可能になっている。
【００１７】
次に、コンセントタップ８の構成について具体的に説明すると、図２及び図３に示されるように、コンセントタップ８は、図示しない電源と導通可能になっている。このコンセントタップ８は、電気器具４のコード１８に設けられたプラグ１９（図４参照）と電気的に接続可能な接続部としてのコンセント９，９と、ＯＮ状態またはＯＦＦ状態にすることでコンセント９，９及び電源の通電またはその通電の解除を行う導電スイッチ１０と、導電スイッチ１０のＯＮ状態またはＯＦＦ状態を切り替えるスイッチレバー１１と、コンセント９，９、導電スイッチ１０、及びスイッチレバー１１を収める筐体３０と、から成る。
【００１８】
コンセント９，９は、導電スイッチ１０を介して電源に接続されている。また、このコンセント９，９には、特に図示しないが、プラグ１９（図４参照）が常時接続されており、このプラグ１９が接続された状態で電気器具４（図１参照）が収納室５に収納されている。
【００１９】
スイッチレバー１１は、アクリル等の透光性材質から成り、内部には、電源と電気的に接続されている照明部としてのＬＥＤ２４が設けられている。このスイッチレバー１１は、筐体３０に対して回動可能になるように、一端部が枢着具２３により筐体３０の上部に枢支されている。
【００２０】
また、図２に示されるように、スイッチレバー１１の下面には、スイッチレバー１１が筐体３０に対して回動する際に、筐体３０の上部に設けられた収容孔３０ａを貫通した状態で移動する切替部１１ａが取り付けられている。この切替部１１ａは、収容孔３０ａの長手方向の両端部３０ｂ，３０ｃの間で移動可能になっている。
【００２１】
すなわち、切替部１１ａが端部３０ｂに位置するスイッチレバー１１を、筐体３０に対して、洗面台１の後方側から前方側に向かって回動することで、スイッチレバー１１の他端部が、側板２１側、すなわち引出６の外方側に突出され、切替部１１ａが端部３０ｃに位置する。この切替部１１ａが端部３０ｃ側に位置することで、スイッチレバー１１の他端部が側板２１と当接可能になっている（図示一点鎖線のスイッチレバー１１参照）。
【００２２】
導電スイッチ１０は、その一端側部１０ｃが押下されることで、コンセント９，９と電源とが通電するＯＮ状態になる。一方、導電スイッチ１０は、その他端側部１０ｂが押下されることで、コンセント９，９と電源とが通電している状態が解除されるＯＦＦ状態になる。
【００２３】
図２及び図３に示されるように、導電スイッチ１０は、切替部１１ａが端部３０ｃに位置している状態では、切替部１１ａによりスイッチ１０の一端側部１０ｃが押下されるとともに、切替部１１ａが端部３０ｂに位置している状態では、切替部１１ａによりスイッチ１０の他端側部１０ｂが押下されるように、スイッチレバー１１の下方側に配置されている。
【００２４】
この導電スイッチ１０及びスイッチレバー１１の配置により、スイッチレバー１１を前方側または後方側に回動することで、導電スイッチ１０のＯＮ状態またはＯＦＦ状態が切り替え可能になっている。
【００２５】
更に、導電スイッチ１０をＯＮ状態にすることで、前述したＬＥＤ２４が発光するようになっている。このＬＥＤ２４の発光により、ＬＥＤ２４の光が透光性材質のスイッチレバー１１を透光し、導電スイッチ１０のＯＮ状態が明瞭に報知される。一方、導電スイッチ１０をＯＦＦ状態にすることで、ＬＥＤ２４は消光するようになっている。
【００２６】
次に、電気器具４の使用方法について説明する。先ず、図２に示されるように、引出６を開放した後に、収納部３を洗面台１の前方側に移動させる。次いで、スイッチレバー１１を洗面台１の前方側に回動し、導電スイッチ１０をＯＮ状態にする。このスイッチレバー１１の回動により、スイッチレバー１１の他端部が、引出６の外方側に突出される。
【００２７】
そして、電気器具４（図１参照）の図示しない電源をＯＮにして、電気器具４を引出６の外方で使用する。また、プラグ１９がコンセント９と接続されるとともに、電気器具４が引出６の外方に位置している使用状態では、コード１８が引出６の外方と引出６の内方とに跨っている（図４参照）。
【００２８】
図４に示されるように、プラグ１９がコンセント９と接続されるとともに、電気器具４（図１参照）が引出６の外方に位置している状態で、不意に引出６が閉鎖する方向に移動すると、引出６の前板１６が、収納部３の取付片１２と当接する。そして、引出６とともに収納部３も閉鎖する方向に移動し、スイッチレバー１１の他端部が洗面台１の側板２１の前面と当接する。
【００２９】
この当接により、側板２１の前面と前板１６の背面との間に所定寸法の隙間Ｓが空いた状態で、引出６及び収納部３の閉鎖方向の移動が規制される。これにより、引出６及び収納部３の閉鎖が阻止されるため、引出６の外方と引出６の内方とに跨っているコード１８が側板２１と前板１６との間に挟まり、コード１８が断線してしまうことがない。
【００３０】
以上に説明したように、本実施例のコンセントタップ８では、電気器具４のコードに設けられたプラグ１９と電気的に接続可能なコンセント９，９と、ＯＮ状態またはＯＦＦ状態にすることでコンセント９，９及び電源の通電またはその通電の解除を行う導電スイッチ１０と、導電スイッチ１０のＯＮ状態またはＯＦＦ状態を切り替えるスイッチレバー１１と、が設けられ、スイッチレバー１１が引出６の外方側に突出されることにより、導電スイッチ１０がＯＮ状態になることで、プラグ１９をコンセント９に接続して電気器具４を引出６の外方で使用する際に、不意に引出６が閉鎖する方向に移動しても、引出６の外方側に突出されるスイッチレバー１１が洗面台１と当接し、引出６の閉鎖が阻止されるため、電気器具４のコード１８が引出６と洗面台１との間に挟まれることを防止できる。
【００３１】
また、スイッチレバー１１は、透光性材質から成り、内部に、導電スイッチ１０のＯＮ状態で発光し、導電スイッチ１０のＯＦＦ状態で消光するＬＥＤ２４が設けられているこことで、ＬＥＤ２４を配置するスペースをコンセントタップ８の外方に特段に設ける必要がないばかりか、このＬＥＤ２４により、コンセント９，９及び電源が通電していること、またはコンセント９，９及び電源が通電していないことを確実に報知することができる。
【００３２】
また、コンセントタップ８は、プラグ１９がコンセント９に接続された状態で電気器具４を収容する収納部３に設けられていることで、電気器具４を収納部３から引出６の外方に取り出し、スイッチレバー１１を引出６の外方側に突出するだけで、電気器具４を使用することができるため、プラグ１９をコンセント９に接続する作業を行う必要がない。
【００３３】
以上、本発明の実施例を図面により説明してきたが、具体的な構成はこれら実施例に限れるものではなく、本発明の要旨を逸脱しない範囲における変更や追加があっても本発明に含まれる。
【００３４】
例えば、前記実施例では、コンセントタップ８は、洗面台１の引出６に適用されているが、これに限らず、コンセントタップは、システムキッチン等のキャビネットの引出に適用されてもよい。
【００３５】
また、前記実施例では、スイッチレバー１１を回動することで、導電スイッチ１０がＯＮ状態になるとともに、スイッチレバー１１が引出６の外方側に突出されるようになっているが、これに限らず、例えば、引出の外方側及び内方側の間で伸縮可能なスイッチレバーを用いて、スイッチレバーを伸長させることで、導電スイッチがＯＮ状態になるとともに、スイッチレバーが引出の外方側に突出されるようにしてもよい。
【００３６】
また、前記実施例では、コンセントタップ８が設けられた収納部３は、引出６と独立に洗面台１に対して前後方向に移動可能になっているが、これに限らず、例えば、特段に収納部を設けることなく、コンセントタップを引出に固定に設けてもよい。
【００３７】
また、前記実施例では、コンセントタップ８にコンセント９と導電スイッチ１０とスイッチレバー１１が一体となって設けられているが、これに限らず、例えば、コンセント９と、スイッチレバー１１を含む導電スイッチを分離配置できるようにし、その間を導電線で電気的に接続できるようにしてもよい。
【符号の説明】
【００３８】
１                洗面台（キャビネット）
３                収納部
４                電気器具
６                引出
８                コンセントタップ
９                コンセント（接続部）
１０              導電スイッチ
１１              スイッチレバー
１８              コード
１９              プラグ
２４              ＬＥＤ（照明部）
【図１】
2010282835.tif 000003
【図２】
2010282835.tif 000004
【図３】
2010282835.tif 000005
【図４】
2010282835.tif 000006